(57)【要約】【課題】    花粉が飛散しない時期において、通常の網戸と同様の十分な通風を確保できるとともに、花粉が飛散する時期には、花粉の侵入を防止しつつ、ある程度の通風も確保できるようにする。【解決手段】  網戸本体(１)の網部(３)の一方の面側に、この網部(３)よりも網目が細かい花粉侵入防止用網材(５)を、その網部(３)を覆うようにして着脱自在に張り付ける。【選択図】  図１
2006009308.tif 000002
【特許請求の範囲】
【請求項１】
網戸本体の網部の一方の面側に、この網部よりも網目が細かい花粉侵入防止用網材を、その網部を覆うようにして着脱自在に張り付けてなることを特徴とする花粉侵入防止用網戸。
【請求項２】
前記の網材は、１インチ当たりのメッシュ数が１００本以上２５０本以下とされている請求項１記載の花粉侵入防止用網戸。
【請求項３】
前記網材の厚みが、３０μｍ以上１００μｍ以下とされている請求項１又は２記載の花粉侵入防止用網戸。
【請求項４】
網戸本体側の取付け部と網材側の取付け部との少なくとも一方が磁気を帯びた磁性体からなり、それら取付け部を相互に磁着させることで網材が張り付けられる請求項１乃至３のいずれかに記載の花粉侵入防止用網戸。
【請求項５】
前記の取付け部は、前記網部と網材とを挟んだ状態で相互に磁着可能なマグネット材からなっている請求項１乃至４のいずれかに記載の花粉侵入防止用網戸。
【請求項６】
前記網材には、花粉吸着剤と花粉分解剤とのいずれか一方又は両方が含有されているか又は付着している請求項１乃至５のいずれかに記載の花粉侵入防止用網戸。
【請求項７】
網戸本体の網部よりも細かい網目を備えるとともに、前記網部の一方の面側に、その網部を覆うようにして着脱自在に張り付け可能とされていることを特徴とする花粉侵入防止用網材。
【請求項８】
１インチ当たりのメッシュ数が、１００本以上２５０本以下とされている請求項７記載の花粉侵入防止用網材。
【請求項９】
厚みが、３０μｍ以上１００μｍ以下とされている請求項７又は８記載の花粉侵入防止用網材。
【請求項１０】
花粉吸着剤と花粉分解剤とのいずれか一方又は両方が含有されているか又は付着している請求項７乃至９のいずれかに記載の花粉侵入防止用網材。
【発明の詳細な説明】
【技術分野】
【０００１】
この発明は、花粉の飛散時期において、花粉が室内へ侵入するのを防ぐことができる花粉侵入防止用網戸、及びこれに用いる花粉侵入防止用網材に関する。
【背景技術】
【０００２】
住宅に用いられる網戸は、蚊等の虫の侵入を防止するのが主目的であるため、メッシュ間隔が１〜２ｍｍ程度のものが主流であり、１インチ(約２．５４ｃｍ)当たりのメッシュ数が２０〜２２本の網戸が多く用いられている。
【０００３】
しかし、そのような一般的な網戸は、虫の侵入を防止しつつ十分な通風を確保できるという利点がある反面、非常に小さなスギ花粉(およそ３０μｍ)その他の花粉の侵入を防止することができないため、花粉症の人にとっては、花粉の飛散時期に窓を開放できないという深刻な問題となっていた。
【０００４】
これに対して、花粉の侵入を防止するための網戸として、メッシュ間隔が０．１ｍｍ程度で１インチ当たりのメッシュ数が２００本のものが開発されているが、通常の網戸よりも網目が非常に細かいため、一般的な網戸に比べて極端に通風性が悪くなってしまう問題があった。従って、そのような網戸を用いると、花粉の飛散時期だけでなく年間を通して通風を確保しにくくなるため、居住性が著しく悪くなってしまう欠点があった。
【０００５】
そのような問題に鑑みて、網戸本体の網部に、不織布等のフィルターを着脱可能に取り付ける発明が、特許文献１において開示されており、この発明の網戸を用いることで、花粉が飛散する時期には、フィルターを取り付けることで花粉の侵入を防止することができ、花粉が飛散しない時期には、フィルターを取り外しておくことで十分な通風を確保することができる。
【０００６】
【特許文献１】特開平９−２３５９６２号公報
【発明の開示】
【発明が解決しようとする課題】
【０００７】
しかしながら、特許文献１に記載された不織布等のフィルターは、所定の厚みを有するフィルターの内部に、花粉を閉じこめるようにして付着させるものであり、繊維が複雑に入り組んだ構造となっている。従って、そのような構造のフィルターを取り付けると、網戸を通過する通気経路が狭くて複雑となってしまうなるため、ほとんど通風が得られなくなる欠点があった。
【０００８】
また、使い続けることによって、フィルター内部に入り込んで蓄積された花粉は、洗い流して除去することが困難であるため、適宜新しいフィルターと交換しなければならず、ランニングコストが高くなる欠点もあった。
【０００９】
そこで、この発明は、上記の不具合を解消して、花粉が飛散しない時期において、通常の網戸と同様の十分な通風を確保できるとともに、花粉が飛散する時期には、花粉の侵入を防止しつつ、ある程度の通風も確保できるようにすることを目的とする。
【課題を解決するための手段】
【００１０】
上記の課題を解決するため、この発明における花粉侵入防止用網戸は、網戸本体の網部の一方の面側に、この網部よりも網目が細かい花粉侵入防止用網材を、その網部を覆うようにして着脱自在に張り付けてなることを特徴とする。
【００１１】
また、前記の網材は、１インチ当たりのメッシュ数が１００本以上２５０本以下とされている。さらに、前記網材の厚みが、３０μｍ以上１００μｍ以下とされている。
【００１２】
さらにまた、網戸本体側の取付け部と網材側の取付け部との少なくとも一方が磁気を帯びた磁性体からなり、それら取付け部を相互に磁着させることで網材が張り付けられる。
【００１３】
具体的に、前記の取付け部は、前記網部と網材とを挟んだ状態で相互に磁着可能なマグネット材からなっている。
【００１４】
加えて、前記網材には、花粉吸着剤と花粉分解剤とのいずれか一方又は両方が含有されているか又は付着している。
【００１５】
また、この発明における花粉侵入防止用網材は、網戸本体の網部よりも細かい網目を備えるとともに、前記網部の一方の面側に、その網部を覆うようにして着脱自在に張り付け可能とされていることを特徴とする。
【００１６】
さらに、１インチ当たりのメッシュ数が、１００本以上２５０本以下とされている。さらにまた、厚みが、３０μｍ以上１００μｍ以下とされている。
【００１７】
加えて、花粉吸着剤と花粉分解剤とのいずれか一方又は両方が含有されているか又は付着している。
【発明の効果】
【００１８】
この発明では、網戸本体に対して、網目の細かい花粉侵入防止用網材が着脱可能に張り付けられるため、花粉が飛散しない時期には、その網材を取り外した状態で使用することで、通常の網戸と同様の十分な通風を確保することができ、花粉が飛散する時期には、網材を取り付けた状態で使用することで、花粉の侵入を防止することができる。
【００１９】
しかも、網材を取り付けた状態では、その網目が細かい分だけある程度通風が制限されるものの、不織布等のフィルターに比べて遙かに構造が単純で、且つ、例えば３０μｍ以上１００μｍ以下の薄い網材を用いているため、比較的通気を確保しやすくなる効果がある。特に、網材のメッシュ数を、１インチ当たり１００本以上２５０本以下とすることで、花粉の侵入を有効に防止しつつ、ある程度の通風も確保することができる。
【００２０】
また、花粉が飛散しない時期において不要となる網材は、巻いたり折り畳んだりすることでコンパクトに収納することができ、省スペース化を図ることができる。
【００２１】
さらに、網材の表面に付着した花粉は、容易に洗い流すことができるため、使い続けて目が詰まってきた場合は、網材を洗って再利用することによって、ランニングコストを低減することができる。
【００２２】
さらにまた、網材の張り付け作業は、マグネット材等からなる網戸本体側及び網材側の取付け部を相互に磁着させるだけで簡単に行うことができるため、居住者自身が手軽に網材を着脱することができる。
【００２３】
加えて、網材に、花粉吸着剤や花粉分解剤を含有させたり付着させることで、花粉の侵入防止効果をさらに高めることができる。
【発明を実施するための最良の形態】
【００２４】
以下、この発明の実施形態を図面に基づいて詳細に説明する。この発明の一実施形態に係る花粉侵入防止用網戸の網戸本体(１)は、図１に示すように、方形枠状に形成された例えば金属製の網戸枠(２)と、その網戸枠(２)内に張られた網部(３)とを備えている。
【００２５】
網部(３)は  一般的な網戸に用いられる網と同様に、合成樹脂繊維を編み込んで形成されている。なお、網部(３)の繊維の材質としては、具体的に、ポリエステル、ナイロン、ポリプロピレン、ポリエチレン、塩化ビニル等の従来より公知のものが挙げられる。
【００２６】
また、網部(３)のメッシュ間隔は、一般的な網戸と同様の間隔となっており、１インチ当たりのメッシュ数は、例えば２０〜２２本とされている。すなわち、この網部(３)により、通常の網戸と同様に、室内への虫の侵入を防止しつつ十分な通風を確保することができるようになっている。
【００２７】
そして、網戸本体(１)の網部(３)の一方の面側には、図１(ｂ)に示すように、この網部(３)よりも網目が細かい花粉侵入防止用網材(５)が、その網部(３)を覆うようにして着脱自在に張り付けられるようになっている。
【００２８】
花粉侵入防止用網材(５)は、上述した網部(３)と同様の合成樹脂繊維を編み込んで形成されており、網戸本体(１)の網部(３)の大部分又は全面を覆うことができるような形状となっている。
【００２９】
この網材(５)は、例えば厚みが３０μｍ以上１００μｍ以下の薄肉のシート状に形成されている。すなわち、網材(５)は、通常２００μｍ以上の厚みを有する一般的な網戸の網に比べて薄く形成されている。
【００３０】
また、網材(５)は、１インチ当たりのメッシュ数が１００本以上２５０本以下となるように形成されている。従って、この網材(５)により、虫の侵入は勿論、スギ花粉(約３０μｍ)その他の花粉の侵入をも防止することができるとともに、上記のように厚みが少ないため、ある程度の通風も確保されるようになっている。
【００３１】
網材(５)を取り付ける際は、図２に示すように、網戸本体(１)側及び網材(５)側の取付け部として、網戸本体(１)の網部(３)と網材(５)とを挟んだ状態で相互に磁着可能なマグネット材(11)(12)…を用いる。具体的に言えば、網戸本体(１)の網部(３)の室外側に網材(５)を重ね合わせた状態で、網材(５)の室外側表面の四隅に、網材(５)側の取付け部としてのマグネット材(12)(12)…を配置するとともに、網戸本体(１)の網部(３)の室内側表面に、網材(５)側のマグネット材(12)(12)…に対応するようにして、それぞれ網戸本体(１)側の取付け部としてのマグネット材(11)(11)…を配置して、それら両側のマグネット材(11)(12)…を相互に磁着させる。
【００３２】
このように、網材(５)側のマグネット材(12)(12)…と、網戸本体(１)側のマグネット材(11)(11)とによって、網戸本体(１)の網部(３)と網材(５)とを挟持することで、網戸本体(１)の網部(３)に対して、網材(５)が張り付けられるようになっている。すなわち、網材(５)の着脱作業は、マグネット材(11)(12)…を用いることによって極めて簡単に行うことができるため、居住者自身が手軽に網材(５)を着脱できるようになっている。
【００３３】
そして、花粉が飛散しない時期には、図１(ａ)に示すように、網材(５)を取り外した状態で通常の網戸として使用することで、蚊等の虫の侵入を防止しつつ十分な通風を確保できるようになっており、花粉が飛散する時期は、図１(ｂ)に示すように、網材(５)を取り付けた状態で使用することで、虫だけでなく、花粉の侵入をも除去しつつ、ある程度の通風を確保できるようになっている。
【００３４】
なお、この実施形態においては、網戸本体(１)側及び網材(５)側の取付け部が、いずれもマグネット材(11)(12)…により構成されているが、それぞれの取付け部の構成は必ずしもマグネット材(11)(12)…に限定されるものではなく、少なくともいずれか一方の取付け部が磁気を帯びた磁性体からなり、両側の取付け部が相互に磁着可能となっていれば良い。
【００３５】
また、上記においては、網戸本体(１)側及び網材(５)側の取付け部として、網戸本体(１)及び網材(５)とはそれぞれ別体のものが用いられているが、網戸本体(１)及び網材(５)と一体に設けても良いものとする。例えば、網材(５)の周縁部を、磁気を帯びた磁性体によって構成して、網材(５)側の取付け部とするとともに、金属製の網戸枠(２)を網戸本体(１)側の取付け部とするようにしても良く、その場合は、網材(５)側の取付け部としての網材(５)周縁部を、網戸本体(１)側の取付け部としての網戸枠(２)へ磁着させることで、網材(５)が取り付けられる。
【００３６】
さらに、網材(５)の着脱方法は、上記のような磁着によるものに限られず、他にも様々な方法が考えられ、例えば、ビス等の固定具を用いて着脱するようにしても良い。
【００３７】
或いは、網戸本体(１)の網戸枠(２)に、網材(５)を出没可能に収容するようにしても良い。具体的に言えば、通常の網戸のように十分な通風を確保したいときには、網戸枠(２)のいずれかの枠材の内部に、網材(５)をロール状に畳んだ状態で収容しておいて、室内へ花粉が侵入するのを防止したいときは、網戸枠(２)の枠材から網材(５)を引き出して、網部(３)を覆うようにして張り付けることで、網材(５)を網部(３)に対して着脱可能とすることが考えられる。
【００３８】
また、この発明のおけるその他の実施形態としては、上記実施形態と同様の花粉侵入防止用網材(５)に、花粉吸着剤と花粉分解剤とのいずれか一方又は両方を含有させるようにする。具体的には、それら花粉吸着剤や花粉分解剤を、網材(５)に含浸させることが考えられるが、その他にも、網材(５)の繊維を製造する際に、その繊維の原料となる合成樹脂に花粉吸着剤や花粉分解剤を添加して製造することも考えられる。ただし、花粉吸着剤や花粉分解剤は、必ずしも網材(５)に含有させなくても良く、網材(５)の表面に付着させるようにしても良い。
【００３９】
このように、花粉吸着剤を含有させるか又は付着させることにより、網材(５)に花粉が付着しやすくなるため、花粉の侵入防止効果をさらに高めることができる。また、花粉分解剤を含有させるか又は付着させることにより、網材(５)に付着した花粉が分解されやすくなるため、網材(５)に一旦付着した花粉が室内へ入ってしまう恐れを解消することができる。
【００４０】
なお、この発明は、上記実施形態に限定されるものではなく、この発明の範囲内で上記実施形態に多くの修正及び変更を加え得ることは勿論である。
【図面の簡単な説明】
【００４１】
【図１】この発明の一実施形態に係る花粉侵入防止用網戸を示す正面図である。
【図２】同じくその縦断面図である。
【符号の説明】
【００４２】
(１)  網戸本体
(３)  網部
(５)  花粉侵入防止用網材
(11)  網戸本体側の取付け部(マグネット材)
(12)  網材側の取付け部(マグネット材)
【図１】
2006009308.tif 000003
【図２】
2006009308.tif 000004